(57)【要約】【課題】            不均質媒質中に形成されたマイクロストリップ線路形などの伝送線路による不等電力分配合成器において、抵抗パターンにおける電力消費を低減する。【解決手段】        誘電体基板の一方の面に地導体パターンが形成され、前記誘電体基板の他方の面に、入力線路パターン、複数の出力線路パターン、前記入力線路パターンの一端にそれぞれの一端が接続され他端が前記複数の出力線路パターンのそれぞれに接続され川の字状に配置された複数のインピーダンス変成器パターン、前記隣在するインピーダンス変成器パターンの間を橋渡しするように接続する抵抗パターンが形成され、前記入力線路パターンと前記複数のインピーダンス変成器パターンの接続部を分岐部とするマイクロストリップ線路形の不等電力分配合成器であって、前記複数のインピーダンス変成器パターンの少なくとも最も幅が狭いインピーダンス変成器パターンに並列容量を設けた。【選択図】          図１
2005286495.tif 000002
【特許請求の範囲】
【請求項１】
誘電体基板の一方の面に地導体パターンが形成され、前記誘電体基板の他方の面に、入力線路パターン、複数の出力線路パターン、前記入力線路パターンの一端にそれぞれの一端が接続され他端が前記複数の出力線路パターンのそれぞれに接続され川の字状に配置された複数のインピーダンス変成器パターン、前記隣在するインピーダンス変成器パターンの間を橋渡しするように接続する抵抗パターンが形成され、前記入力線路パターンと前記複数のインピーダンス変成器パターンの接続部を分岐部とするマイクロストリップ線路形の不等電力分配合成器であって、前記複数のインピーダンス変成器パターンの少なくとも最も幅が狭いインピーダンス変成器パターンに並列容量を設けたことを特徴とする不等電力分配合成器。
【請求項２】
誘電体基板の一方の面に地導体パターンが形成され、前記誘電体基板の他方の面に、入力線路パターン、複数の出力線路パターン、前記入力線路パターンの一端にそれぞれの一端が接続され他端が前記複数の出力線路パターンのそれぞれに接続され川の字状に配置された複数のインピーダンス変成器パターン、前記隣在するインピーダンス変成器パターンの間を橋渡しするように接続する抵抗パターンが形成され、前記入力線路パターンと前記複数のインピーダンス変成器パターンの接続部を分岐部とするマイクロストリップ線路形の不等電力分配合成器であって、前記複数のインピーダンス変成器パターンの少なくとも最も幅が広いインピーダンス変成器パターン近傍に前記誘電体基板の厚みが薄い部位を設けたことを特徴とする不等電力分配合成器。
【請求項３】
前記複数のインピーダンス変成器パターンは、テーパ形インピーダンス分布を有することを特徴とする請求項１または請求項２記載の不等電力分配合成器。
【請求項４】
前記複数のインピーダンス変成器パターンは、長さが伝搬波長の約１／４の１つのパターン、もしくは長さが伝搬波長の約１／４の複数のパターンを直列接続したパターンであることを特徴とする請求項１または請求項２記載の不等電力分配合成器。
【請求項５】
請求項１〜４のいずれか１項に記載の不等電力分配合成器において、前記出力線路パターン及びインピーダンス変成器パターンがそれぞれ２つであることを特徴とする不等電力分配合成器。
【請求項６】
請求項１〜４のいずれか１項に記載の不等電力分配合成器において、前記出力線路パターン及びインピーダンス変成器パターンがそれぞれ３つであることを特徴とする不等電力分配合成器。
【請求項７】
誘電体基板と距離を隔てて前記誘電体基板を挟んで地導体が配置され、前記誘電体基板の表面と裏面の対向する位置に、入力線路パターン、複数の出力線路パターン、前記入力線路パターンの一端にそれぞれの一端が接続され他端が前記複数の出力線路パターンのそれぞれに接続され川の字状（放射状）に配置された複数のインピーダンス変成器パターン、のそれぞれが前記誘電体基板の表面と裏面で対をなすように形成され、前記隣在するインピーダンス変成器パターンの間を橋渡しするように接続する抵抗パターンが前記誘電体基板の表面または裏面の少なくとも一方に形成され、前記入力線路パターンと前記複数のインピーダンス変成器パターンの接続部を分岐部とするサスペンデッド線路形の不等電力分配合成器であって、前記複数の対をなすインピーダンス変成器パターンの少なくとも最も幅が広い対をなすインピーダンス変成器パターンに並列容量を設けたことを特徴とする不等電力分配合成器。
【請求項８】
誘電体基板と距離を隔てて前記誘電体基板を挟んで地導体が配置され、前記誘電体基板の表面と裏面の対向する位置に、入力線路パターン、複数の出力線路パターン、前記入力線路パターンの一端にそれぞれの一端が接続され他端が前記複数の出力線路パターンのそれぞれに接続され川の字状に配置された複数のインピーダンス変成器パターン、のそれぞれが前記誘電体基板の表面と裏面で対をなすように形成され、前記隣在するインピーダンス変成器パターンの間を橋渡しするように接続する抵抗パターンが前記誘電体基板の表面または裏面の少なくとも一方に形成され、前記入力線路パターンと前記複数のインピーダンス変成器パターンの接続部を分岐部とするサスペンデッド線路形の不等電力分配合成器であって、前記複数の対をなすインピーダンス変成器パターンの少なくとも最も幅が狭い対をなすインピーダンス変成器パターン近傍に前記誘電体基板の厚みが薄い部位を設けたことを特徴とする不等電力分配合成器。
【請求項９】
前記誘電体基板の厚みが薄い部位に、空気に代わる誘電体として前記誘電体基板と異なる誘電率の誘電体を補充したことを特徴とする請求項８記載の不等電力分配合成器。
【請求項１０】
前記複数の対をなすインピーダンス変成器パターンは、テーパ形インピーダンス分布を有することを特徴とする請求項７、８又は９記載の不等電力分配合成器。
【請求項１１】
前記複数の対をなすインピーダンス変成器パターンは、長さが伝搬波長の約１／４の１つの対をなすパターン、もしくは長さが伝搬波長の約１／４の複数の対をなすパターンを直列接続した対をなすパターンであることを特徴とする請求項７、８又は９記載の不等電力分配合成器。
【請求項１２】
請求項７〜１１のいずれか１項に記載の不等電力分配合成器において、前記対をなす出力線路パターン及び対をなすインピーダンス変成器パターンがそれぞれ２つであることを特徴とする不等電力分配合成器。
【請求項１３】
請求項７〜１１のいずれか１項に記載の不等電力分配合成器において、前記対をなす出力線路パターン及び対をなすインピーダンス変成器パターンがそれぞれ３つであることを特徴とする不等電力分配合成器。
【発明の詳細な説明】
【技術分野】
【０００１】
この発明は、マイクロストリップ線路やサスペンデッド線路などの不均質媒質中に形成された伝送線路による電力分配合成器に係わり、特にアイソレーション抵抗パターンにおける電力消費の低減された不等電力分配を実現する不等電力分配合成器に関する。
【背景技術】
【０００２】
従来の電力分配合成器について図面を参照しながら説明する。図１６は、例えば特開平１０−２０９７２４号公報に示された従来の電力分配合成器の構成を示す図である。なお、図１６は構成をわかりやすくするため上側の誘電体基板を取り除いた図を示している。また、図１７は、図１４のａ−ａ’断面図である。
【０００３】
図１６及び図１７において、１ａ、１ｂは誘電体基板、２ａ、２ｂは誘電体基板１ａ、１ｂの外面（２つの誘電体基板１ａ、１ｂの対向面と反対の面）にパターン形成された地導体パターン、３は誘電体基板１ａの内面（２つの誘電体基板１ａ、１ｂの対向面）に形成された入力線路パターン、４ａ、４ｂは誘電体基板１ａの内面に形成された出力線路パターン、５ａ、５ｂは一端が入力線路パターン３と分岐部６において接続され、他端が出力線路パターン４ａ、４ｂと接続され、誘電体基板１ａの内面に形成されたテーパ線路形インピーダンス変成器パターンである。なお、前記のように、図１６では図１７に示す誘電体基板１ｂ、地導体パターン２ｂを取り除いた図である。
【０００４】
このテーパ線路形インピーダンス変成器パターン５ａ、５ｂは、入力線路パターン３の特性インピーダンスがＺｉｎ、出力線路パターン４ａ、４ｂの特性インピーダンスがＺｏｕｔであるとき、それぞれ、分岐部６側のインピーダンスが２Ｚｉｎ、出力線路パターン４ａ、４ｂ側のインピーダンスがＺｏｕｔとなり、このような異なるインピーダンスの間を整合するように、その形状が設計されている。
【０００５】
また、図１６及び図１７において、７ａは誘電体基板１ａの端部において入力線路パターン３と接続された入力端子、７ｂ、７ｃは誘電体基板１ａの端部において出力線路パターン４ａ、４ｂと接続された分配端子、８は出力線路パターン間を分離するストリップ状アイソレーション抵抗パターン（抵抗体、アイソレーション抵抗体）である。
【０００６】
このストリップ状アイソレーション抵抗パターン８は、隣接するテーパ線路形インピーダンス変成器パターン５ａ、５ｂ間を橋渡ししてそれぞれを接続するように、テーパ線路形インピーダンス変成器パターン５ａ、５ｂの長さ方向とほぼ直交する方向で複数（梯子状に）設けられたものである。ここで、図１６では等間隔の例を挙げていますが、等間隔である必要はありません。
【０００７】
なお、このように、誘電体基板１ａ、１ｂと、誘電体基板１ａ、１ｂ間に形成された入力線路パターン３、出力線路パターン４ａ、４ｂ、テーパ線路形インピーダンス変成器パターン５ａ、５ｂと、誘電体基板１ａ、１ｂの外面に設けられた地導体パターン２ａ、２ｂとからトリプレート線路形の回路を形成している。
【０００８】
つぎに、従来の電力分配合成器の動作について図面を参照しながら説明する。
まず、入力端子７ａに高周波信号を加えた場合について説明する。
【０００９】
入力端子７ａから高周波信号が入力されると、高周波信号は入力線路パターン３を経て分岐部６において２分岐され、並列接続された２本のテーパ形線路インピーダンス変成器パターン５ａ、５ｂに等振幅で入力される。このとき、テーパ線路形インピーダンス変成器パターン５ａ、５ｂの入力インピーダンスがそれぞれ２Ｚｉｎとなっているため、入力線路パターン３から２本の並列接続されたテーパ線路形インピーダンス変成器パターン５ａ、５ｂを見たインピーダンスは、入力線路パターン３の特性インピーダンスＺｉｎに等しくなり、高周波信号は反射を生じることなく２分岐される。各テーパ線路形インピーダンス変成器パターン５ａ、５ｂに入力された高周波信号は、それぞれ出力線路パターン４ａ、４ｂの特性インピーダンスＺｏｕｔに変換されて出力線路パターン４ａ、４ｂに伝送され、分配端子７ｂ、７ｃに等振幅で分配されて出力される。
【００１０】
２本のテーパ線路形インピーダンス変成器パターン５ａ、５ｂには、等振幅、等位相の高周波信号が伝搬するので、隣り合うテーパ線路形インピーダンス変成器パターン間に電位差が生じることはない。従って、隣接するテーパ線路形インピーダンス変成器パターン間を接続するストリップ状アイソレーション抵抗パターン８には電流が流れず、このストリップ状アイソレーション抵抗パターン８で電力は消費されない。なお、テーパ線路形インピーダンス変成器パターン５ａ、５ｂは、広い周波数帯域にわたってインピーダンス整合をとることが可能なため、広い周波数帯域にわたって反射なく電力分配を行うことができる。
【００１１】
次に、分配端子７ｂ、７ｃに高周波信号を加えた場合について説明する。
出力線路パターン４ａ、４ｂ側の分配端子７ｂ、７ｃから等振幅、等位相の高周波信号が入力されると、回路の可逆性から、入力端子７ａに高周波信号を加えた場合と逆方向に高周波信号が伝搬し、全ての高周波信号が合成されて入力端子７ａから出力される。このとき、２本のテーパ線路形インピーダンス変成器パターン５ａ、５ｂを伝搬する高周波信号は等振幅、等位相であるので、ストリップ状アイソレーション抵抗パターン８には電流が流れず、このストリップ状アイソレーション抵抗パターン８では電力は消費されない。
【００１２】
次に、分配端子７ｂ、７ｃのうちの分配端子７ｂのみに高周波信号を加えた場合について説明する。
分配端子７ｂから高周波信号が入力されると、この高周波信号はテーパ線路形インピーダンス変成器パターン５ａを伝搬して分岐部６に伝送され、分岐部６から入力線路パターン３および他方のテーパ線路形インピーダンス変成器パターン５ｂに入力される。入力線路パターン３に入力された高周波信号は入力端子７ａから出力される。
【００１３】
一方、他方のテーパ線路形インピーダンス変成器パターン５ｂに入力された高周波信号は、テーパ線路形インピーダンス変成器パターン５ａを伝搬してきた高周波信号との間に振幅および位相のずれがあるため、隣接するテーパ線路形インピーダンス変成器パターン間を接続するストリップ状アイソレーション抵抗パターン８を介して、テーパ線路形インピーダンス変成器５ａ、５ｂとの間を電流が流れ、ストリップ状アイソレーション抵抗パターン８において電力が吸収される。
【００１４】
２本のテーパ線路形インピーダンス変成器パターン５ａ、５ｂの間隔、ストリップ状アイソレーション抵抗パターン８の面積抵抗率や形状が、最適に設計されていれば、テーパ線路形インピーダンス変成器５ｂに加わった高周波信号は全てストリップ状アイソレーション抵抗パターン８で吸収され、分配端子７ｃには何も出力されない。すなわち、出力線路パターン４ａ、４ｂに接続された各分配端子間はアイソレーション（分離）が確保される。
【００１５】
このように、各分配端子７ｂ、７ｃから振幅や位相にずれがある高周波信号が入力された場合には、この振幅や位相のずれに対応したアンバランス成分がストリップ状アイソレーション抵抗パターン８において吸収され、同相成分が合成されて入力線路パターン３側の入力端子７ａに出力される。なお、以上は分配端子数が２の場合の電力分配合成器について説明したが、分配端子数が３以上の電力分配合成器においても、同様の動作原理が成立する。
【００１６】
ここで、上記で説明したようなタイプの電力分配合成器においては、アイソレーション抵抗パターン８は、分配端子７ｂ、７ｃから見たときの反射特性や分配端子７ｂ、７ｃ間のアイソレーション特性を良好なものにするために必要なものです。また、入力端子７ａから信号を入力した際には、アイソレーション抵抗パターン８に電流が流れないように設計されているのが理想です。
【００１７】
【特許文献１】特開平１０−２０９７２４号公報
【発明の開示】
【発明が解決しようとする課題】
【００１８】
上述したような従来の電力分配合成器では、マイクロストリップ線路やサスペンデッド線路などの不均質媒質中に形成された伝送線路で不等電力分配を実現する場合に、線路幅の異なるテーパ線路形インピーダンス変成器５ａ、５ｂは実効比誘電率が異なるため、テーパ線路形インピーダンス変成器５ａ、５ｂを接続する等間隔で設けられたストリップ状アイソレーション抵抗パターン８の間隔はテーパ線路形インピーダンス変成器５ａ側とテーパ線路形インピーダンス変成器５ｂ側で異なる電気長を呈する。したがって、入力端子７ａに高周波信号を加えた場合にストリップ状アイソレーション抵抗パターン８の両端に加わる高周波信号に位相差が発生し、すなわち電位差が生じるため、アイソレーション抵抗パターンにおいて電力が消費されてしまうという問題点があった。
【００１９】
この発明は、前述した問題点を解決するためになされたもので、マイクロストリップ線路やサスペンデッド線路などの不均質媒質中に形成された伝送線路による電力分配合成器において、アイソレーション抵抗パターンにおける電力消費の低減された不等電力分配を実現することができる電力分配合成器を得ることを目的とする。
【課題を解決するための手段】
【００２０】
誘電体基板の一方の面に地導体パターンが形成され、前記誘電体基板の他方の面に、入力線路パターン、複数の出力線路パターン、前記入力線路パターンの一端にそれぞれの一端が接続され他端が前記複数の出力線路パターンのそれぞれに接続され川の字状に配置された複数のインピーダンス変成器パターン、前記隣在するインピーダンス変成器パターンの間を橋渡しするように接続する抵抗パターンが形成され、前記入力線路パターンと前記複数のインピーダンス変成器パターンの接続部を分岐部とするマイクロストリップ線路形の不等電力分配合成器であって、前記複数のインピーダンス変成器パターンの少なくとも最も幅が狭いインピーダンス変成器パターンに並列容量を設けたことを特徴とするものである。
【発明の効果】
【００２１】
この発明は、誘電体基板の一方の面に地導体パターンが形成され、前記誘電体基板の他方の面に、入力線路パターン、複数の出力線路パターン、前記入力線路パターンの一端にそれぞれの一端が接続され他端が前記複数の出力線路パターンのそれぞれに接続され川の字状に配置された複数のインピーダンス変成器パターン、前記隣在するインピーダンス変成器パターンの間を橋渡しするように接続する抵抗パターンが形成され、前記入力線路パターンと前記複数のインピーダンス変成器パターンの接続部を分岐部とするマイクロストリップ線路形の不等電力分配合成器であって、前記複数のインピーダンス変成器パターンの少なくとも最も幅が狭いインピーダンス変成器パターンに並列容量を設けたので、アイソレーション抵抗パターンにおける電力消費の低減された不等電力分配を実現することができる不等電力分配合成器を得られる。
【発明を実施するための最良の形態】
【００２２】
実施の形態１．
この発明の実施の形態１に係る電力分配合成器について図面を参照しながら説明する。ここでは、繁雑になるのを避けるため、分配端子数が２の場合の電力分配合成器を例示して説明する。図１は、この発明の実施の形態１に係る電力分配合成器の構成を示す構成説明図である。また、図２は、図１のａ−ａ’断面図である。なお、各図中、同一符号は同一又は相当部分を示す。
【００２３】
図１及び図２において、１は誘電体基板、２ａは誘電体基板１の裏面にパターン形成された地導体パターン、３は誘電体基板１の表面に形成された入力線路パターン、４ａ、４ｂは誘電体基板１の表面に形成された出力線路パターン、５ａ、５ｂは一端が入力線路パターン３と分岐部６において接続され、他端が出力線路パターン４ａ、４ｂと接続され、誘電体基板１の表面に形成されたテーパ線路形インピーダンス変成器パターン、９は一端がテーパ線路形インピーダンス変成器パターン５ａに接続され、誘電体基板１の表面に形成された先端開放スタブパターンである。なお、先端開放スタブパターンは要求仕様などに応じて設計する。
【００２４】
誘電体基板１と、誘電体基板１の表面に形成された入力線路パターン３と、出力線路パターン４ａ、４ｂと、テーパ線路形インピーダンス変成器パターン５ａ、５ｂと、先端開放スタブパターン９と、誘電体基板１の裏面に設けられた地導体パターン２ａとからマイクロストリップ線路形の回路を形成している。
【００２５】
テーパ線路形インピーダンス変成器パターン５ａ、５ｂと先端開放スタブパターン９は、入力線路パターン３の特性インピーダンスがＺｉｎ、出力線路パターン４ａ、４ｂの特性インピーダンスがそれぞれＺｏｕｔ１、Ｚｏｕｔ２であるとき、それぞれ、分岐部６側のインピーダンスがＺｉｎ（Ｚｏｕｔ１＋Ｚｏｕｔ２）／Ｚｏｕｔ２、Ｚｉｎ（Ｚｏｕｔ１＋Ｚｏｕｔ２）／Ｚｏｕｔ１、出力線路パターン４ａ、４ｂ側のインピーダンスがＺｏｕｔ１、Ｚｏｕｔ２となり、このような異なるインピーダンスの間を整合するように、その形状が設計されている。
【００２６】
出力線路パターン４ａ、４ｂの特性インピーダンスＺｏｕｔ１、Ｚｏｕｔ２の間にＺｏｕｔ１＞Ｚｏｕｔ２の関係があるとき、テーパ線路形インピーダンス変成器パターン５ａはテーパ線路形インピーダンス変成器パターン５ｂに比べて線路幅が小さく、テーパ線路形インピーダンス変成器パターン５ａに沿って複数の先端開放スタブパターン９が設けられている。
【００２７】
また、図１及び図２において、７ａは誘電体基板１の端部において入力線路パターン３と接続された入力端子、７ｂ、７ｃは誘電体基板１の端部において出力線路パターン４ａ、４ｂと接続された分配端子、８は出力線路パターン間を分離するストリップ状アイソレーション抵抗パターン（抵抗体、アイソレーション抵抗体）である。
【００２８】
このストリップ状アイソレーション抵抗パターン８は、隣接するテーパ線路形インピーダンス変成器パターン５ａ、５ｂ間のそれぞれを接続するように、複数（梯子状に）設けられたものである。
【００２９】
つぎに、この実施の形態１に係る電力分配合成器の動作について図面を参照しながら説明する。
まず、入力端子７ａに高周波信号を加えた場合について説明する。
【００３０】
入力端子７ａから高周波信号が入力されると、高周波信号は入力線路パターン３を経て分岐部６において２分岐され、並列接続された２本のテーパ形線路インピーダンス変成器パターン５ａ、５ｂにＺｏｕｔ２：Ｚｏｕｔ１の電力比で入力される。このとき、テーパ線路形インピーダンス変成器パターン５ａ、５ｂの入力インピーダンスがそれぞれＺｉｎ（Ｚｏｕｔ１＋Ｚｏｕｔ２）／Ｚｏｕｔ２、Ｚｉｎ（Ｚｏｕｔ１＋Ｚｏｕｔ２）／Ｚｏｕｔ１となっているため、入力線路パターン３から２本の並列接続されたテーパ線路形インピーダンス変成器パターン５ａ、５ｂを見たインピーダンスは、入力線路パターン３の特性インピーダンスＺｉｎに等しくなり、高周波信号は反射を生じることなく２分岐される。
【００３１】
各テーパ線路形インピーダンス変成器パターン５ａ、５ｂに入力された高周波信号は、それぞれ出力線路パターン４ａ、４ｂの特性インピーダンスＺｏｕｔ１、Ｚｏｕｔ２に変換されて出力線路パターン４ａ、４ｂに伝送され、分配端子７ｂ、７ｃにＺｏｕｔ２：Ｚｏｕｔ１の電力比で分配されて出力される。
【００３２】
２本のテーパ線路形インピーダンス変成器パターン５ａ、５ｂには、電圧が等振幅、等位相の高周波信号が伝搬する。このとき、テーパ線路形インピーダンス変成器パターン５ａ、５ｂは線路幅が異なり、線路幅が小さいテーパ線路形インピーダンス変成器パターン５ａの方が位相速度が大きくなるが、テーパ線路形インピーダンス変成器パターン５ａに沿って設けられた先端開放スタブパターン９によって位相速度に遅れが生じるため、ストリップ状アイソレーション抵抗パターン８の間隔の電気長はテーパ線路形インピーダンス変成器パターン５ａ側と５ｂ側で等しくすることができ、ストリップ状アイソレーション抵抗パターン８の両端には電位差は生じない。従って、ストリップ状アイソレーション抵抗パターン８には電流が流れず、このストリップ状アイソレーション抵抗パターン８で電力は消費されない。
【００３３】
次に、分配端子７ｂ、７ｃに高周波信号を加えた場合について説明する。
出力線路パターン４ａ、４ｂ側の分配端子７ｂ、７ｃから電圧が等振幅、等位相の高周波信号が入力されると、回路の可逆性から、入力端子７ａに高周波信号を加えた場合と逆方向に高周波信号が伝搬し、全ての高周波信号が合成されて入力端子７ａから出力される。
【００３４】
このとき、２本のテーパ線路形インピーダンス変成器パターン５ａ、５ｂを伝搬する高周波信号は電圧が等振幅、等位相で、ストリップ状アイソレーション抵抗パターン８が電気長で等しい間隔になるように設けられているので、ストリップ状アイソレーション抵抗パターン８には電流が流れず、このストリップ状アイソレーション抵抗パターン８では電力は消費されない。
【００３５】
次に、分配端子７ｂ、７ｃのうちの分配端子７ｂのみに高周波信号を加えた場合について説明する。
分配端子７ｂから高周波信号が入力されると、この高周波信号はテーパ線路形インピーダンス変成器パターン５ａを伝搬して分岐部６に伝送され、分岐部６から入力線路パターン３および他方のテーパ線路形インピーダンス変成器パターン５ｂに入力される。入力線路パターン３に入力された高周波信号は入力端子７ａから出力される。
【００３６】
一方、他方のテーパ線路形インピーダンス変成器パターン５ｂに入力された高周波信号は、テーパ線路形インピーダンス変成器パターン５ａを伝搬してきた高周波信号との間に振幅および位相のずれがあるため、隣接するテーパ線路形インピーダンス変成器パターン間を接続するストリップ状アイソレーション抵抗パターン８には、テーパ線路形インピーダンス変成器５ａ、５ｂと直交する方向に電流が流れ、ストリップ状アイソレーション抵抗パターン８において電力が吸収される。
【００３７】
２本のテーパ線路形インピーダンス変成器パターン５ａ、５ｂの間隔、先端開放スタブパターン９の大きさと間隔、ストリップ状アイソレーション抵抗パターン８の面積抵抗率や形状が、最適に設計されていれば、テーパ線路形インピーダンス変成器５ｂに加わった高周波信号は全てストリップ状アイソレーション抵抗パターン８で吸収され、分配端子７ｃには何も出力されない。すなわち、出力線路パターン４ａ、４ｂに接続された各分配端子間はアイソレーション（分離）が確保される。
【００３８】
このように、各分配端子７ｂ、７ｃから振幅や位相にずれがある高周波信号が入力された場合には、この振幅や位相のずれに対応したアンバランス成分がストリップ状アイソレーション抵抗パターン８において吸収され、同相成分が合成されて入力線路パターン３側の入力端子７ａに出力される。
【００３９】
以上のように、この実施の形態１によれば、マイクロストリップ線路で構成されるテーパ線路形インピーダンス変成器を用いた不等分配器において、線路幅の小さいテーパ線路形インピーダンス変成器パターン５ａに対して先端開放スタブパターン９を設けたため、アイソレーション抵抗パターン８の接続部の間隔が各テーパ線路形インピーダンス変成器の間で電気的に等間隔となり、テーパ線路形インピーダンス変成器の線路幅が異なる不等分配の場合でも、アイソレーション抵抗パターン８で電力が消費されることはなくなり、電力分配合成器の挿入損失を低減することができる。
【００４０】
なお、上記図１、図２においては、並列容量として先端開放スタブパターン９を設けたものを例示したが、図３に示すようにテーパ線路形インピーダンス変成器パターン５ａの外側形状を鋸状としても同様な効果が得られる。
【００４１】
また、図４は、この実施の形態１における分配端子数が３の場合の電力分配合成器の構成を示す構成説明図である。また、図５は、図４のａ−ａ’断面図である。
【００４２】
図４及び図５において、５ａ、５ｂ、５ｃは一端が入力線路パターン３と分岐部６において接続され、他端が出力線路パターン４ａ、４ｂ、４ｃと接続され、誘電体基板１の表面に形成されたテーパ線路形インピーダンス変成器パターンである。なお、ここでは、テーパ線路形インピーダンス変成器パターン５ａ、５ｂ、５ｃの線路幅は、５ａ、５ｂ、５ｃの順に広くなっているものとして説明する。
【００４３】
誘電体基板１と、誘電体基板１の表面に形成された入力線路パターン３と、出力線路パターン４ａ、４ｂ、４ｃと、１／４波長インピーダンス変成器パターン５ａ、５ｂ、５ｃと、先端開放スタブパターン９と、誘電体基板１の裏面に設けられた地導体パターン２ａとからマイクロストリップ線路形の回路を形成している。
【００４４】
テーパ線路形インピーダンス変成器パターン５ａ、５ｂ、５ｃと先端開放スタブパターン９は、入力線路パターン３の特性インピーダンスがＺｉｎ、出力線路パターン４ａ、４ｂ、４ｃの特性インピーダンスがそれぞれＺｏｕｔ１、Ｚｏｕｔ２、Ｚｏｕｔ３であるとき、それぞれ、分岐部６側のインピーダンスがＺｉｎ（Ｚｏｕｔ１・Ｚｏｕｔ２＋Ｚｏｕｔ２・Ｚｏｕｔ３＋Ｚｏｕｔ１・Ｚｏｕｔ３）／（Ｚｏｕｔ２・Ｚｏｕｔ３）、Ｚｉｎ（Ｚｏｕｔ１・Ｚｏｕｔ２＋Ｚｏｕｔ２・Ｚｏｕｔ３＋Ｚｏｕｔ１・Ｚｏｕｔ３）／（Ｚｏｕｔ１・Ｚｏｕｔ３）、Ｚｉｎ（Ｚｏｕｔ１・Ｚｏｕｔ２＋Ｚｏｕｔ２・Ｚｏｕｔ３＋Ｚｏｕｔ１・Ｚｏｕｔ３）／（Ｚｏｕｔ１・Ｚｏｕｔ２）、出力線路パターン４ａ、４ｂ、４ｃ側のインピーダンスがＺｏｕｔ１、Ｚｏｕｔ２、Ｚｏｕｔ３となり、このような異なるインピーダンスの間を整合するように、その形状が設計されている。
【００４５】
出力線路パターン４ａ、４ｂ、４ｃの特性インピーダンスＺｏｕｔ１、Ｚｏｕｔ２、Ｚｏｕｔ３の間にＺｏｕｔ１＞Ｚｏｕｔ２＞Ｚｏｕｔ３の関係があるとき、テーパ線路形インピーダンス変成器パターン５ａはテーパ線路形インピーダンス変成器パターン５ｂ、５ｃに比べて線路幅が小さく、テーパ線路形インピーダンス変成器パターン５ａに沿って複数の先端開放スタブパターン９が設けられている。
【００４６】
また、ストリップ状アイソレーション抵抗パターン８は、隣接するテーパ線路形インピーダンス変成器パターン５ａ、５ｂ、５ｃ間のそれぞれを接続するように、複数（梯子状に）設けられている。
【００４７】
このような構成においては、入力端子７ａから高周波信号が入力されると、高周波信号は入力線路パターン３を経て分岐部６において３分岐され、並列接続された３本のテーパ形線路インピーダンス変成器パターン５ａ、５ｂ、５ｃに１／Ｚｏｕｔ１：１／Ｚｏｕｔ２：１／Ｚｏｕｔ３の電力比で入力される。このとき、テーパ線路形インピーダンス変成器パターン５ａ、５ｂ、５ｃの入力インピーダンスがそれぞれＺｉｎ（Ｚｏｕｔ１・Ｚｏｕｔ２＋Ｚｏｕｔ２・Ｚｏｕｔ３＋Ｚｏｕｔ１・Ｚｏｕｔ３）／（Ｚｏｕｔ２・Ｚｏｕｔ３）、Ｚｉｎ（Ｚｏｕｔ１・Ｚｏｕｔ２＋Ｚｏｕｔ２・Ｚｏｕｔ３＋Ｚｏｕｔ１・Ｚｏｕｔ３）／（Ｚｏｕｔ１・Ｚｏｕｔ３）、Ｚｉｎ（Ｚｏｕｔ１・Ｚｏｕｔ２＋Ｚｏｕｔ２・Ｚｏｕｔ３＋Ｚｏｕｔ１・Ｚｏｕｔ３）／（Ｚｏｕｔ１・Ｚｏｕｔ２）となっているため、入力線路パターン３から３本の並列接続されたテーパ線路形インピーダンス変成器パターン５ａ、５ｂ、５ｃを見たインピーダンスは、入力線路パターン３の特性インピーダンスＺｉｎに等しくなり、高周波信号は反射を生じることなく３分岐される。
【００４８】
各テーパ線路形インピーダンス変成器パターン５ａ、５ｂ、５ｃに入力された高周波信号は、それぞれ出力線路パターン４ａ、４ｂ、４ｃの特性インピーダンスＺｏｕｔ１、Ｚｏｕｔ２、Ｚｏｕｔ３に変換されて出力線路パターン４ａ、４ｂ、４ｃに伝送され、分配端子７ｂ、７ｃ、７ｄに１／Ｚｏｕｔ１：１／Ｚｏｕｔ２：１／Ｚｏｕｔ３の電力比で分配されて出力される。
【００４９】
３本のテーパ線路形インピーダンス変成器パターン５ａ、５ｂ、５ｃには、電圧が等振幅、等位相の高周波信号が伝搬する。このとき、テーパ線路形インピーダンス変成器パターン５ａ、５ｂ、５ｃは線路幅が異なり、線路幅が最も小さいテーパ線路形インピーダンス変成器パターン５ａが最も位相速度が大きくなるが、テーパ線路形インピーダンス変成器パターン５ａに沿って設けられた先端開放スタブパターン９によって位相速度に遅れが生じるため、ストリップ状アイソレーション抵抗パターン８の間隔の電気長はテーパ線路形インピーダンス変成器パターン５ａ、５ｂ、５ｃでほぼ等しくすることができ、ストリップ状アイソレーション抵抗パターン８の両端にはほとんど電位差は生じない。従って、ストリップ状アイソレーション抵抗パターン８にはほとんど電流が流れず、このストリップ状アイソレーション抵抗パターン８で電力は消費されない。
【００５０】
ここで、上記説明ではテーパ線路形インピーダンス変成器パターン５ａにのみ先端開放スタブパターン９を設けた例を示して説明したが、テーパ線路形インピーダンス変成器パターン５ｂとテーパ線路形インピーダンス変成器パターン５ｃの間のストリップ状アイソレーション抵抗パターン８での電力消費が問題になる場合などには、テーパ線路形インピーダンス変成器パターン５ｂにも先端開放スタブパターンを設けても良い。
【００５１】
以上のように、この実施の形態１では、分配端子数が３以上の任意の電力分配合成器においても、分配端子数が２の場合と同様の効果を奏する。
【００５２】
実施の形態２．
この発明の実施の形態２に係る電力分配合成器について図面を参照しながら説明する。図６は、この発明の実施の形態２に係る電力分配合成器の構成を示す構成説明図である。また、図７は、図４のａ−ａ’断面図である。
【００５３】
図６及び図７において、５ａ、５ｂは一端が入力線路パターン３と分岐部６において接続され、他端が出力線路パターン４ａ、４ｂと接続され、誘電体基板１の表面に形成された１／４波長インピーダンス変成器パターンである。
【００５４】
誘電体基板１と、誘電体基板１の表面に形成された入力線路パターン３と、出力線路パターン４ａ、４ｂと、１／４波長インピーダンス変成器パターン５ａ、５ｂと、先端開放スタブパターン９と、誘電体基板１の裏面に設けられた地導体パターン２ａとからマイクロストリップ線路形の回路を形成している。
【００５５】
１／４波長インピーダンス変成器パターン５ａ、５ｂと先端開放スタブパターン９は、入力線路パターン３の特性インピーダンスがＺｉｎ、出力線路パターン４ａ、４ｂの特性インピーダンスがそれぞれＺｏｕｔ１、Ｚｏｕｔ２であるとき、それぞれ、分岐部６側のインピーダンスがＺｉｎ（Ｚｏｕｔ１＋Ｚｏｕｔ２）／Ｚｏｕｔ２、Ｚｉｎ（Ｚｏｕｔ１＋Ｚｏｕｔ２）／Ｚｏｕｔ１、出力線路パターン４ａ、４ｂ側のインピーダンスがＺｏｕｔ１、Ｚｏｕｔ２となり、このような異なるインピーダンスの間を整合するように、その形状が設計されている。
【００５６】
出力線路パターン４ａ、４ｂの特性インピーダンスＺｏｕｔ１、Ｚｏｕｔ２の間にＺｏｕｔ１＞Ｚｏｕｔ２の関係があるとき、１／４波長インピーダンス変成器パターン５ａは１／４波長インピーダンス変成器パターン５ｂに比べて線路幅が小さく、１／４波長インピーダンス変成器パターン５ａに沿って複数の先端開放スタブパターン９が設けられている。
【００５７】
また、図６及び図７において、７ａは誘電体基板１の端部において入力線路パターン３と接続された入力端子、７ｂ、７ｃは誘電体基板１の端部において出力線路パターン４ａ、４ｂと接続された分配端子、８は出力線路パターン間を分離するストリップ状アイソレーション抵抗パターン（抵抗体、アイソレーション抵抗体）である。
【００５８】
このストリップ状アイソレーション抵抗パターン８は、隣接する１／４波長インピーダンス変成器パターン５ａ、５ｂ間のそれぞれを接続するように、１／４波長間隔で複数設けられたものである。
【００５９】
このような構成においては、２本の１／４波長インピーダンス変成器パターン５ａ、５ｂに電圧が等振幅、等位相の高周波信号が伝搬するとき、１／４波長インピーダンス変成器パターン５ｂに比べて、線路幅の小さい１／４波長インピーダンス変成器パターン５ａの方が位相速度が大きくなるが、１／４波長インピーダンス変成器パターン５ａに沿って設けられた先端開放スタブパターン９によって位相速度に遅れが生じるため、ストリップ状アイソレーション抵抗パターン８の間隔の電気長は１／４波長インピーダンス変成器パターン５ａ側と５ｂ側で等しくすることができ、ストリップ状アイソレーション抵抗パターン８の両端には電位差は生じない。従って、ストリップ状アイソレーション抵抗パターン８には電流が流れず、このストリップ状アイソレーション抵抗パターン８で電力は消費されない。
【００６０】
以上のように、この実施の形態２によれば、マイクロストリップ線路で構成される１／４波長インピーダンス変成器を用いた不等分配器において、線路幅の小さい１／４波長インピーダンス変成器パターン５ａに対して先端開放スタブパターン９を設けたため、アイソレーション抵抗パターン８の接続部の間隔が各１／４波長インピーダンス変成器の間で電気的に等間隔となり、１／４波長インピーダンス変成器の線路幅が異なる不等分配の場合でも、アイソレーション抵抗パターン８で電力が消費されることはなくなり、電力分配合成器の挿入損失を低減することができる。
【００６１】
なお、この実施の形態２において、分配端子数が２の場合の電力分配合成器について説明したが、実施の形態１で示したように、ここでも分配端子数が３以上の任意の電力分配合成器においても、同様の効果を奏する。
【００６２】
実施の形態３．
この発明の実施の形態３に係る電力分配合成器について図面を参照しながら説明する。図８は、この発明の実施の形態３に係る電力分配合成器の構成を示す構成説明図である。また、図９は、図８のａ−ａ’断面図である。
【００６３】
図８及び図９において、１０は誘電体基板１のテーパ線路形インピーダンス変成器５ｂの近傍に設けられた誘電体基板切り欠き部である。
【００６４】
このような構成においては、２本のテーパ線路形インピーダンス変成器パターン５ａ、５ｂに電圧が等振幅、等位相の高周波信号が伝搬するとき、誘電体基板１の誘電率が均一な場合には、テーパ線路形インピーダンス変成器パターン５ａに比べて、線路幅の大きいテーパ線路形インピーダンス変成器パターン５ｂの方が位相速度が小さくなるが、誘電体基板１のテーパ線路形インピーダンス変成器パターン５ｂの近傍に誘電体基板切り欠き部１０を設けたことにより、実効的な誘電率が小さくなり位相速度が大きくなるため、ストリップ状アイソレーション抵抗パターン８の間隔の電気長はテーパ線路形インピーダンス変成器パターン５ａ側と５ｂ側で等しくすることができ、ストリップ状アイソレーション抵抗パターン８の両端には電位差は生じない。従って、ストリップ状アイソレーション抵抗パターン８には電流が流れず、このストリップ状アイソレーション抵抗パターン８で電力は消費されない。
【００６５】
以上のように、この実施の形態３によれば、マイクロストリップ線路で構成されるテーパ線路形インピーダンス変成器を用いた不等分配器において、誘電体基板１の線路幅の大きいテーパ線路形インピーダンス変成器パターン５ｂの近傍部分に誘電体基板切り欠き部１０を設けたため、アイソレーション抵抗パターン８の接続部の間隔がテーパ線路形インピーダンス変成器の間で電気的に等間隔となり、テーパ線路形インピーダンス変成器の線路幅が異なる不等分配の場合でも、アイソレーション抵抗パターン８で電力が消費されることはなくなり、電力分配合成器の挿入損失を低減することができる。
【００６６】
なお、この実施の形態３においては、分配端子数が２の場合の電力分配合成器について説明したが、実施の形態１で示したように、ここでも分配端子数が３以上の任意の電力分配合成器においても、同様の効果を奏する。
【００６７】
実施の形態４．
この発明の実施の形態４に係る電力分配合成器について図面を参照しながら説明する。図１０は、この発明の実施の形態４に係る電力分配合成器の構成を示す構成説明図である。また、図１１は、図１０のａ−ａ’断面図である。なお、図８は構成をわかりやすくするため地導体となる金属シャーシを取り除いた図を示している。
【００６８】
図１０及び図１１において、３は誘電体基板１の両面に形成された入力線路パターン対、４ａ、４ｂは誘電体基板１の両面に形成された出力線路パターン対、５ａ、５ｂは一端が入力線路パターン対３と分岐部６において接続され、他端が出力線路パターン対４ａ、４ｂと接続され、誘電体基板１の両面に形成されたテーパ線路形インピーダンス変成器パターン対、９は一端がテーパ線路形インピーダンス変成器パターン対５ｂに接続され、誘電体基板１の両面に形成された先端開放スタブパターン対である。１１は誘電体基板１の両側に一定の間隔を隔てて設けられた金属シャーシ（地導体）である。また、８はアイソレーション抵抗パターンで、ここでは誘電体基板１の一方の面に形成されている場合を例示して説明するが、誘電体基板１の表面と裏面にアイソレーション抵抗パターンの対を形成した場合も以下と同様の扱いになる。
【００６９】
誘電体基板１と、入力線路パターン対３と、出力線路パターン対４ａ、４ｂと、テーパ線路形インピーダンス変成器パターン対５ａ、５ｂと、先端開放スタブパターン対９と、金属シャーシ１１とによりサスペンデッド線路形の回路を形成している。
【００７０】
出力線路パターン対４ａ、４ｂの特性インピーダンスＺｏｕｔ１、Ｚｏｕｔ２の間にＺｏｕｔ１＞Ｚｏｕｔ２の関係があるとき、テーパ線路形インピーダンス変成器パターン対５ａはテーパ線路形インピーダンス変成器パターン対５ｂに比べて線路幅が小さく、テーパ線路形インピーダンス変成器パターン対５ｂに沿って、複数の先端開放スタブパターン対９が設けられている。
【００７１】
このような構成においては、２本のテーパ線路形インピーダンス変成器パターン対５ａ、５ｂに電圧が等振幅、等位相の高周波信号が伝搬するとき、テーパ線路形インピーダンス変成器パターン対５ａに比べて、線路幅の大きいテーパ線路形インピーダンス変成器パターン対５ｂの方が位相速度が大きくなるが、テーパ線路形インピーダンス変成器パターン対５ｂに沿って設けられた先端開放スタブパターン対９によって位相速度に遅れが生じるため、ストリップ状アイソレーション抵抗パターン８の両端には電位差は生じない。従って、ストリップ状アイソレーション抵抗パターン８には電流が流れず、このストリップ状アイソレーション抵抗パターン８で電力は消費されない。
【００７２】
以上のように、この実施の形態４によれば、サスペンデッド線路で構成される不等分配器において、線路幅の大きいテーパ線路形インピーダンス変成器パターン対５ｂに対して先端開放スタブパターン対９を設けたため、アイソレーション抵抗パターン８の接続部の間隔が各テーパ線路形インピーダンス変成器の間で電気的に等間隔となり、テーパ線路形インピーダンス変成器パターンの線路幅が異なる不等分配の場合でも、アイソレーション抵抗パターン８で電力が消費されることはなくなり、電力分配合成器の挿入損失を低減することができる。
【００７３】
なお、この実施の形態４において、分配端子数が２の場合の電力分配合成器について説明したが、実施の形態１で示したように、ここでも分配端子数が３以上の任意の電力分配合成器においても、同様の効果を奏する。
【００７４】
実施の形態５．
この発明の実施の形態５に係る電力分配合成器について図面を参照しながら説明する。図１２は、この発明の実施の形態５に係る電力分配合成器の構成を示す構成説明図である。また、図１３は、図１２のａ−ａ’断面図である。なお、図１２は構成をわかりやすくするため金属シャーシ１１を取り除いた図を示している。
【００７５】
図１２及び図１３において、５ａ、５ｂは一端が入力線路パターン対３と分岐部６において接続され、他端が出力線路パターン対４ａ、４ｂと接続され、誘電体基板１の両面に形成された１／４波長インピーダンス変成器パターン対である。
【００７６】
誘電体基板１と、入力線路パターン対３と、出力線路パターン対４ａ、４ｂと、テーパ線路形インピーダンス変成器パターン対５ａ、５ｂと、先端開放スタブパターン対９と、金属シャーシ１１とによりサスペンデッド線路形の回路を形成している。
【００７７】
出力線路パターン対４ａ、４ｂの特性インピーダンスＺｏｕｔ１、Ｚｏｕｔ２の間にＺｏｕｔ１＞Ｚｏｕｔ２の関係があるとき、１／４波長インピーダンス変成器パターン対５ａは１／４波長インピーダンス変成器パターン対５ｂに比べて線路幅が小さく、１／４波長インピーダンス変成器パターン対５ｂに沿って、複数の先端開放スタブパターン対９が設けられている。
【００７８】
このような構成においては、２本の１／４波長インピーダンス変成器パターン対５ａ、５ｂに電圧が等振幅、等位相の高周波信号が伝搬するとき、１／４波長インピーダンス変成器パターン対５ａに比べて、線路幅の大きい１／４波長インピーダンス変成器パターン対５ｂの方が位相速度が大きくなるが、１／４波長インピーダンス変成器パターン対５ｂに沿って設けられた先端開放スタブパターン対９によって位相速度に遅れが生じるため、ストリップ状アイソレーション抵抗パターン８の両端には電位差は生じない。従って、ストリップ状アイソレーション抵抗パターン８には電流が流れず、このストリップ状アイソレーション抵抗パターン８で電力は消費されない。
【００７９】
以上のように、この実施の形態５によれば、サスペンデッド線路で構成される不等分配器において、線路幅の大きい１／４波長インピーダンス変成器パターン対５ｂに対して先端開放スタブパターン対９を設けたため、アイソレーション抵抗パターン８の接続部の間隔が各１／４波長インピーダンス変成器の間で電気的に等間隔となり、１／４波長インピーダンス変成器パターンの線路幅が異なる不等分配の場合でも、アイソレーション抵抗パターン８で電力が消費されることはなくなり、電力分配合成器の挿入損失を低減することができる。
【００８０】
なお、この実施の形態５において、分配端子数が２の場合の電力分配合成器について説明したが、実施の形態１で示したように、ここでも分配端子数が３以上の任意の電力分配合成器においても、同様の効果を奏する。
【００８１】
実施の形態６．
この発明の実施の形態６に係る電力分配合成器について図面を参照しながら説明する。図１４は、この発明の実施の形態６に係る電力分配合成器の構成を示す構成説明図である。また、図１５は、図１４のａ−ａ’断面図である。なお、図１４は構成をわかりやすくするため金属シャーシ１１を取り除いた図を示している。
【００８２】
図１４及び図１５において、１０は誘電体基板１のテーパ線路形インピーダンス変成器パターン対５ａの近傍に設けられた誘電体基板切り欠き部である。
【００８３】
このような構成においては、２本のテーパ線路形インピーダンス変成器パターン対５ａ、５ｂに電圧が等振幅、等位相の高周波信号が伝搬するとき、誘電体基板１の誘電率が均一な場合には、テーパ線路形インピーダンス変成器パターン対５ｂに比べて、線路幅の小さいテーパ線路形インピーダンス変成器パターン対５ａの方が位相速度が小さくなるが、誘電体基板１のテーパ線路形インピーダンス変成器パターン対５ａの近傍に誘電体基板切り欠き部１０を設けたことにより、実効的な誘電率が小さくなり位相速度が大きくなるため、ストリップ状アイソレーション抵抗パターン８の間隔の電気長はテーパ線路形インピーダンス変成器パターン対５ａ側と５ｂ側で等しくすることができ、ストリップ状アイソレーション抵抗パターン８の両端には電位差は生じない。従って、ストリップ状アイソレーション抵抗パターン８には電流が流れず、このストリップ状アイソレーション抵抗パターン８で電力は消費されない。
【００８４】
以上のように、この実施の形態６によれば、サスペンデッド線路で構成されるテーパ線路形インピーダンス変成器を用いた不等分配器において、誘電体基板１の線路幅の小さいテーパ線路形インピーダンス変成器パターン対５ａの近傍部分に誘電体基板切り欠き部１０を設けたため、アイソレーション抵抗パターン８の接続部の間隔がテーパ線路形インピーダンス変成器の間で電気的に等間隔となり、テーパ線路形インピーダンス変成器の線路幅が異なる不等分配の場合でも、アイソレーション抵抗パターン８で電力が消費されることはなくなり、電力分配合成器の挿入損失を低減することができる。
【００８５】
なお、この実施の形態６において、分配端子数が２の場合の電力分配合成器について説明したが、実施の形態１で示したように、ここでも分配端子数が３以上の任意の電力分配合成器においても、同様の効果を奏する。
【実施例】
【００８６】
ここで、図１４および図１５に示した実施の形態６の電力分配合成器では、誘電体基板切り欠き部１０を設けるため、具体的実施例としては、テーパ線路形インピーダンス変成器パターン対５ａの支持手段として、誘電体基板１ａの誘電体基板切り欠き部１０に空気に代わる誘電体として、誘電体基板１ａと異なる誘電率の誘電体を埋めた構造とする。また、誘電体基板切り欠き部１０を断続的に設けて誘電体基板１ａの残存部を形成し、テーパ線路形インピーダンス変成器パターン対５ａの支持手段とする構造とする。
【００８７】
以上の説明で用いた図面に示した図において、図１、３、８、１６におけるテーパ線路形インピーダンス変成器パターン５ａ、５ｂ、図４におけるテーパ線路形インピーダンス変成器パターン対５ａ、５ｂ、５ｃ、および、図１０、１４におけるテーパ線路形インピーダンス変成器パターン対５ａ、５ｂの輪郭が滑らかな線でないのは描画ツールの影響であり、本願発明には関係しないものである。
【図面の簡単な説明】
【００８８】
【図１】この発明の実施の形態１に係る電力分配合成器の構成を示す構成説明図である。
【図２】図１の電力分配合成器の断面図である。
【図３】この発明の実施の形態１に係る電力分配合成器の並列容量の構成を示す構成説明図である。
【図４】この発明の実施の形態１における分配端子数が３の場合の電力分配合成器の構成を示す構成説明図である。
【図５】図４の電力分配合成器の断面図である。
【図６】この発明の実施の形態２に係る電力分配合成器の構成を示す構成説明図である。
【図７】図６の電力分配合成器の断面図である。
【図８】この発明の実施の形態３に係る電力分配合成器の構成を示す構成説明図である。
【図９】図８の電力分配合成器の断面図である。
【図１０】この発明の実施の形態４に係る電力分配合成器の構成を示す構成説明図である。
【図１１】図１０の電力分配合成器の断面図である。
【図１２】この発明の実施の形態５に係る電力分配合成器の構成を示す構成説明図である。
【図１３】図１２の電力分配合成器の断面図である。
【図１４】この発明の実施の形態６に係る電力分配合成器の構成を示す構成説明図である。
【図１５】図１４の電力分配合成器の断面図である。
【図１６】従来の電力分配合成器の構成説明図である。
【図１７】図１６の電力分配合成器の断面図である。
【符号の説明】
【００８９】
１  誘電体基板、２  地導体パターン、３  入力線路パターン（入力線路パターン対）、４  出力線路パターン（出力線路パターン対）、５  テーパ線路形インピーダンス変成器パターン（テーパ線路形インピーダンス変成器パターン対）、６  分岐部、７ａ  入力端子、７ｂ、７ｃ  分配端子、８  ストリップ状アイソレーション抵抗パターン、９  先端開放スタブパターン（先端開放スタブパターン対）、１０  誘電体基板切り欠き部、１１  金属シャーシ（地導体）。
【図１】
2005286495.tif 000003
【図２】
2005286495.tif 000004
【図３】
2005286495.tif 000005
【図４】
2005286495.tif 000006
【図５】
2005286495.tif 000007
【図６】
2005286495.tif 000008
【図７】
2005286495.tif 000009
【図８】
2005286495.tif 000010
【図９】
2005286495.tif 000011
【図１０】
2005286495.tif 000012
【図１１】
2005286495.tif 000013
【図１２】
2005286495.tif 000014
【図１３】
2005286495.tif 000015
【図１４】
2005286495.tif 000016
【図１５】
2005286495.tif 000017
【図１６】
2005286495.tif 000018
【図１７】
2005286495.tif 000019